(57)【要約】【課題】起動中にユーザが好むであろうチャンネルを選局することで、起動中の待ち時間のストレスを低減する放送録画装置を提供することである。【解決手段】テレビ放送を受信して録画するＨＤＤ一体型光ディスク装置（放送録画装置）１０において、装置１０の起動中に、現在の曜日及び時刻と録画履歴とに基づいて決定したチャンネルを選局することとする。【選択図】図１
2011124813.tif 000002
【特許請求の範囲】
【請求項１】
テレビ放送を受信して録画する放送録画装置において、
該装置の起動中に、現在の曜日及び時刻と録画履歴とに基づいて決定したチャンネルを選局することを特徴とする放送録画装置。
【請求項２】
前記録画履歴は、録画の曜日、時間帯及びチャンネルを含むことを特徴とする請求項１記載の放送録画装置。
【請求項３】
前記選局するチャンネルは、前記録画履歴から現在の曜日に合致し、かつ現在の時刻を含む時間帯の履歴を抽出し、抽出した履歴のチャンネルであることを特徴とする請求項２記載の放送録画装置。
【請求項４】
前記抽出の結果、複数の履歴が抽出された場合、抽出した履歴の中で最も回数の多いチャンネルに決定することを特徴とする請求項４記載の放送録画装置。
【請求項５】
前記最も回数の多いチャンネルが複数ある場合、その中から前記録画の時間帯が最も長い履歴のチャンネルに決定することを特徴とする請求項４記載の放送録画装置。
【請求項６】
前記録画履歴は、録画済み及び／又は録画予約の履歴であることを特徴とする請求項１〜５の何れかに記載の放送録画装置。
【発明の詳細な説明】
【技術分野】
【０００１】
本発明は、テレビ放送を受信して録画する放送録画装置に関する。
【背景技術】
【０００２】
テレビ受像機などの放送受信装置においては、電源オフ時にそのとき選局していたチャンネルを記憶しておき、次に電源がオンにされると、前回電源オフ時に選局していたチャンネルを自動的に選局するのが一般的である。しかし、電源をオンにした時点でユーザが望むチャンネルが、電源オフ時に選局していたチャンネルである確率は低いと考えられる。そこで、従来から様々な手法が提案されている。
【０００３】
例えば特許文献１には、視聴者がテレビ放送を視聴した日時範囲と曜日とチャンネルと番組タイトルとを含む視聴履歴情報を記録する記録手段と、このテレビジョン受像装置の電源オン時の時刻と曜日とに基づいて、該当する視聴履歴情報を取得し、取得した視聴履歴情報の中で、最も視聴回数の多いチャンネルと番組タイトルとの組合せを視聴者が視聴したい番組として選出する選出手段と、電源オン時にこのチャンネルを自動選局する選局手段とを備えた自動選局装置が開示されている。
【０００４】
また特許文献２には、チューナおよびＡＶデコーダにより選局されたチャンネルのチャンネル履歴データを記憶する不揮発性メモリと、チャンネル履歴データと起動時刻とに基づき、起動時に選局するチャンネルを決定するシステムコントローラとを備えたテレビジョン受像機が開示されている。
【０００５】
また特許文献３には、利用者の選局情報をメモリに記録しておき、電源投入時に時計装置から現在時刻を得、同一曜日における過去の選局記録をメモリから探し現在時刻にもっとも適した選局番号を選択して選局手段へ通知することにより、利用者が通常選択している選局番号を選択できるようにした選局装置が開示されている。
【０００６】
また特許文献４には、見た番組のチャンネルデータとその曜日、時刻データとを対応付けた受信履歴データを、１週間分順次各曜日毎に更新させてＲＡＭに記憶させ、電源キーによる電源オンの際には、そのときの曜日、時刻データに対応する上記ＲＡＭ内の受信履歴データに保持されているチャンネルデータを、受信回路による受信チャンネルとして設定する放送受信制御装置が開示されている。
【先行技術文献】
【特許文献】
【０００７】
【特許文献１】特開２００８−１９３２５２号公報
【特許文献２】特開２００７−４９５３９号公報
【特許文献３】特開２００４−３１２５０６号公報
【特許文献４】特開平６−３１１４４３号公報
【発明の概要】
【発明が解決しようとする課題】
【０００８】
ところで近年、ハードディスクドライブ（ＨＤＤ）一体型光ディスク装置などの大容量の放送録画装置が普及してきている。これらの放送録画装置は起動に数十秒から１分前後の時間が掛かるのが現状であり、起動中は起動が完了するまでユーザの操作は受け付けられない。そして、起動中は前回電源がオフにされた時点で選局されていたチャンネルを受信するようになっているのが一般的である。
【０００９】
また、これらの放送録画装置に上記特許文献１〜４の技術を適用した場合、特許文献１〜４の概要はユーザが選局したチャンネルに基づいて選局するということなので、録画に関係のない特許文献１〜４の技術を単に付加するだけとなり、放送録画装置に特有の機能を生かしたものではない。さらに、特許文献１〜４の技術では、ユーザがザッピングした履歴などユーザが好まないチャンネルも考慮することになる。したがって、放送録画装置を使用するユーザにとって最適な選局がなされる確率は低いと考えられる。
【００１０】
本発明は、起動中にユーザが好むであろうチャンネルを選局することで、起動中の待ち時間のストレスを低減する放送録画装置を提供することを目的とする。
【課題を解決するための手段】
【００１１】
上記目的を達成するために本発明は、テレビ放送を受信して録画する放送録画装置において、該装置の起動中に、現在の曜日及び時刻と録画履歴とに基づいて決定したチャンネルを選局することを特徴とする。
【００１２】
この構成によれば、録画履歴からユーザの好みのチャンネルを推測し、放送録画装置の起動中にそのチャンネルを選局する。
【００１３】
上記の放送録画装置において、前記録画履歴は、録画の曜日、時間帯及びチャンネルを含むことが望ましい。
【００１４】
その場合、前記選局するチャンネルは、前記録画履歴から現在の曜日に合致し、かつ現在の時刻を含む時間帯の履歴を抽出し、抽出した履歴のチャンネルとすることが望ましい。
【００１５】
また、前記抽出の結果、複数の履歴が抽出された場合、抽出した履歴の中で最も回数の多いチャンネルに決定すればよい。
【００１６】
さらに、前記最も回数の多いチャンネルが複数ある場合、その中から前記録画の時間帯が最も長い履歴のチャンネルに決定すればよい。
【００１７】
そして、前記録画履歴としては、録画済み及び／又は録画予約の履歴を用いることができる。
【発明の効果】
【００１８】
本発明によると、ユーザが録画するほど好んでいるチャンネルの中から現在のユーザの所望するチャンネルを推測して選局できるので、ユーザがザッピングした履歴などユーザが好まないチャンネルを省いて推測することができ、ユーザの好みのチャンネルを精度良く分析することができる。その結果、放送録画装置の起動中にユーザが好むであろうチャンネルを選局し、起動中の待ち時間のストレスを低減することができる。
【図面の簡単な説明】
【００１９】
【図１】本発明のＨＤＤ一体型光ディスク装置の構成及びその周辺機器を示すブロック図である。
【図２】本発明のＨＤＤ一体型光ディスク装置の起動中の選局動作に関するフローチャートである。
【図３】本発明の録画履歴の一例である。
【発明を実施するための形態】
【００２０】
以下、放送録画装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス（ＳＴＢ）又はビデオデッキ等の映像音声記録装置に代表される外部装置１２とが接続されている。またＨＤＤ一体型光ディスク装置１０は、リモコン１３によって操作可能である。以下では、光ディスクとしてＢＤ（Blu-ray Disc）を例に説明する。
【００２１】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＢＤ／ＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＢＤに記録したり、ＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２２】
また、制御部２６は、ＨＤＤ一体型光ディスク装置１０の起動中に、現在の曜日及び時刻と録画履歴とに基づいて決定したチャンネルを選局するような制御も行う。録画履歴とは、少なくとも録画の曜日、時間帯及びチャンネルを含む情報であり、タイトル毎にそれぞれ関連付けてメモリ２３などの記憶部に記憶されている。さらに録画履歴として視聴済みか否かなどの情報を加えてもよい。また、録画履歴は、録画済み及び／又は録画予約の履歴である。つまり、録画済みの履歴だけ、録画予約の履歴だけ、又は両方を合わせた履歴の何れかを用いることができる。
【００２３】
なお、録画の履歴なので、そのタイトルが消去されたか否かに関わらず履歴は一定期間保持しておくものとする。録画履歴の保存期間は、曜日の情報を含んでいることから、少なくとも１週間とすることが望ましく、例えば１ヶ月とすることができ、それ以上保存しておいても構わない。以下、ＨＤＤ一体型光ディスク装置１０の起動中の選局動作について詳しく説明する。
【００２４】
図２は、ＨＤＤ一体型光ディスク装置１０の起動中の選局動作に関するフローチャートである。まず、ＨＤＤ一体型光ディスク装置１０の電源がオンになると各部の起動を開始するとともに、ステップＳ１０において制御部２６は内蔵の時計などから現在の曜日及び時刻を取得する。
【００２５】
次に、ステップＳ１１へ進んでメモリ２３から録画履歴を読み出す。そして、ステップＳ１２へ進んで録画履歴と現在の曜日及び時刻とを比較する。具体的には、録画履歴から現在の曜日に合致し、かつ現在の時刻を含む時間帯の履歴があるか否かを判別する。
【００２６】
ステップＳ１２において該当する履歴がある場合は、ステップＳ１３へ進んで該当する全ての履歴を抽出し、ステップＳ１４へ進んで抽出した履歴が１つだけか又は複数あるかを判別する。
【００２７】
ステップＳ１４において抽出した履歴が１つだけの場合は、ステップＳ１５へ進んでその履歴のチャンネルに決定し、直ぐにそのチャンネルを選局する。これにより、ＨＤＤ一体型光ディスク装置１０の起動中に選局が完了する。一方、ステップＳ１４において抽出した履歴が複数ある場合は、ステップＳ１６へ進んで抽出した履歴の中で最も回数の多いチャンネルを抽出する。
【００２８】
続いてステップＳ１７へ進んで、抽出したチャンネルが１つだけか又は複数あるかを判別する。ステップＳ１７において抽出したチャンネルが１つだけの場合は、ステップＳ１８へ進んで直ぐにそのチャンネルを選局する。これにより、ＨＤＤ一体型光ディスク装置１０の起動中に選局が完了する。
【００２９】
一方、ステップＳ１７において抽出したチャンネルが複数ある場合は、ステップＳ１９へ進んで抽出した中で録画の時間帯が最も長い履歴のチャンネルに決定し、直ぐにそのチャンネルを選局する。これにより、ＨＤＤ一体型光ディスク装置１０の起動中に選局が完了する。
【００３０】
なお、ステップＳ１２で該当する履歴がない場合は、ステップＳ２０へ進んで前回電源オフ時に選局していたチャンネルを選局する。これにより、ＨＤＤ一体型光ディスク装置１０の起動中に選局が完了する。ステップＳ２０においては録画履歴の中から最も回数の多いチャンネルを抽出して選局するようにしたり、録画の時間帯が最も長い履歴のチャンネルを抽出して選局するようにするなど、録画履歴を用いて選局するチャンネルを決定するようにしてもよい。
【００３１】
上記の選局動作によると、ステップＳ１５のように、録画履歴から現在の曜日に合致し、かつ現在の時刻を含む時間帯の履歴を抽出し、抽出した履歴のチャンネルを選局することにより、ユーザが録画するほど好んでいるチャンネルの中から現在のユーザの所望するチャンネルを推測して選局できるので、ユーザがザッピングした履歴などユーザが好まないチャンネルを省いて推測することができ、ユーザの好みのチャンネルを精度良く分析することができる。その結果、ＨＤＤ一体型光ディスク装置１０の起動中にユーザが好むであろうチャンネルを選局し、起動中の待ち時間のストレスを低減することができる。
【００３２】
また、ステップＳ１８のように、複数の履歴が抽出された場合、抽出した履歴の中で最も回数の多いチャンネルを選局することにより、複数の履歴が抽出された場合にもユーザの好みを反映して選局するチャンネルを決定することができる。
【００３３】
また、ステップＳ１９のように、最も回数の多いチャンネルが複数ある場合、その中から録画の時間帯が最も長い履歴のチャンネルを選局することにより、最も回数の多いチャンネルが複数ある場合にもユーザの好みを反映して選局するチャンネルを決定することができる。
【００３４】
次に、上記の動作の実施例を示す。図３は録画履歴の一例である。録画履歴３０は録画済みの履歴であり、通し番号（Ｎｏ．）に対応して、現在の日付の直近１ヶ月分の録画の日付、曜日、時間帯及びチャンネルの情報が記されている。
【００３５】
例えば、ＨＤＤ一体型光ディスク装置１０の電源がオンになった現在、２００９年１２月２５日金曜日２１時０５分であるとする。この場合、制御部２６は、録画履歴３０と現在の曜日及び時刻とを比較し、録画履歴３０から現在の曜日に合致し、かつ現在の時刻を含む時間帯の履歴であるＮｏ．４を抽出する。そして、Ｎｏ．４の履歴のチャンネルであるＤ０２を選局する。
【００３６】
また例えば、ＨＤＤ一体型光ディスク装置１０の電源がオンになった現在、２００９年１２月２８日月曜日１９時１５分であるとする。この場合、制御部２６は、録画履歴３０と現在の曜日及び時刻とを比較し、録画履歴３０から現在の曜日に合致し、かつ現在の時刻を含む時間帯の履歴であるＮｏ．１、５、７、９を抽出する。
【００３７】
そして、Ｎｏ．１、５、７、９の中で最も回数の多いチャンネルを抽出する。ここで、Ｎｏ．１、５、７のチャンネルはＤ０２、Ｎｏ．９のチャンネルはＤ０３なので、回数の多いチャンネルであるＤ０２を選局する。
【００３８】
また例えば、ＨＤＤ一体型光ディスク装置１０の電源がオンになった現在、２００９年１２月２９日火曜日２１時０５分であるとする。この場合、制御部２６は、録画履歴３０と現在の曜日及び時刻とを比較し、録画履歴３０から現在の曜日に合致し、かつ現在の時刻を含む時間帯の履歴であるＮｏ．３、６、８、１０を抽出する。
【００３９】
そして、Ｎｏ．３、６、８、１０の中で最も回数の多いチャンネルを抽出する。ここで、Ｎｏ．３、６のチャンネルはＤ０８、Ｎｏ．８、１０のチャンネルはＤ０６なので、回数の多いチャンネルとしてＤ０８とＤ０６を抽出する。
【００４０】
最も回数の多いチャンネルが２つあるので、さらに、その中で録画の時間帯が最も長い履歴のチャンネルを抽出する。ここで、Ｎｏ．３、６の時間帯は２１時から２２時の１時間、Ｎｏ．８、１０の時間帯は２１時から２３時の２時間なので、長い方のＮｏ．８、１０のチャンネルであるＤ０６を選局する。
【００４１】
なお、上記の実施例では録画履歴として録画済みの履歴を用いたが、本発明において録画済みの履歴に加えて録画予約の履歴を用いれば、録画予定のものを考慮してユーザの好みを推測することができるので、録画済みの履歴だけを使うよりも精度が上がる。また録画済みの履歴に代えて録画予約の履歴を用いてもよい。録画予約の履歴は現在予約されているもの全てを用いればよい。
【００４２】
なお、上記の実施形態ではステップＳ１４の判断の後にステップＳ１７の判断を行うようになっているが、ステップＳ１７の判断の後にステップＳ１４の判断を行うようにしても問題はない。これはどちらの判断を優先させるかという設計思想による。
【００４３】
また本発明において、起動中に選局するチャンネルを決定する因子として、録画履歴に視聴済みか否かを加え、録画履歴に現在の曜日に合致し、かつ現在の時刻を含む時間帯の履歴が複数ある場合に、視聴済みの履歴を優先して選局するようにしてもよい。視聴済みであるということは、ユーザがより好んでいると考えられるからである。視聴済みか否かの判断は、例えば、そのタイトルを所定時間以上再生したり所定割合再生したりした場合に視聴済みと判断すればよい。
【産業上の利用可能性】
【００４４】
本発明は、テレビ放送を受信して録画する放送録画装置に利用でき、例えば、ＨＤＤ録画再生装置、光ディスク録画再生装置、ＨＤＤ一体型光ディスク装置、ＨＤＤ一体型ＳＴＢ、光ディスク一体型ＳＴＢに利用することができる。
【符号の説明】
【００４５】
１０  ＨＤＤ一体型光ディスク装置（放送録画装置）
【図１】
2011124813.tif 000003
【図２】
2011124813.tif 000004
【図３】
2011124813.tif 000005